【手続補正書】
【提出日】令和3年9月21日(2021.9.21)
【手続補正１】
【補正対象書類名】特許請求の範囲
【補正対象項目名】全文
【補正方法】変更
【補正の内容】
【特許請求の範囲】
【請求項１】
創傷の特徴を測定するように構成された１以上のセンサを支持する、実質的に可撓性の創傷接触層を備え、
１以上の前記センサが、光学センサアレイクラスタを備え、
前記光学センサアレイクラスタが、
光学センサと、
１以上の光源と、
を含み、
１以上の前記光源が、白色発光ダイオード（ＬＥＤ）を備える、創傷被覆材。
【請求項２】
１以上の前記光源が、複数の光源を備える、請求項１に記載の創傷被覆材。
【請求項３】
前記光学センサが、赤色・緑色・青色（ＲＧＢ）センサ、赤色・緑色・青色・透明（ＲＧＢＣ）センサ、または赤色・緑色・青色・白色（ＲＧＢＷ）センサを備える、請求項１または２に記載の創傷被覆材。
【請求項４】
１以上の前記光源が、赤色、青色、または緑色発光ダイオード（ＬＥＤ）を備える、請求項１〜３のいずれか一項に記載の創傷被覆材。
【請求項５】
１以上の前記光源が、約２．５ミリメートルだけ前記光学センサから分離されている、請求項１〜４のいずれか一項に記載の創傷被覆材。
【請求項６】
１以上の前記光源が、前記光学センサの配向に対して垂直に配向されている、請求項１〜５のいずれか一項に記載の創傷被覆材。
【請求項７】
１以上の前記光源が、前記光学センサの配向に対して平行に配向されている、請求項１〜６のいずれか一項に記載の創傷被覆材。
【請求項８】
創傷監視・療法システムであって、
創傷被覆材に接続されるように構成され、前記創傷被覆材から光学測定データを受信するようにさらに構成されたコントローラと、
創傷および創傷周囲のうちの少なくとも一方の前記光学測定データを取得するように構成された１以上のセンサを支持する前記創傷被覆材と、
を備え、
１以上の前記センサの各々が、
創傷の特徴を測定するように構成された１以上の当該センサを支持する、実質的に可撓性の創傷接触層を備え、
１以上の前記センサが、光学センサアレイクラスタを備え、
前記光学センサアレイクラスタが、
光学センサと、
単一光源と、
を含み、
前記光源が、白色発光ダイオード（ＬＥＤ）を備える、システム。
【請求項９】
前記創傷被覆材が、前記コントローラおよび通信デバイスのうちの少なくとも一方に光学測定データを通信するように構成されたアンテナをさらに支持する、請求項８に記載のシステム。
【請求項１０】
前記光学センサが、赤色・緑色・青色（ＲＧＢ）センサ、赤色・緑色・青色・透明（ＲＧＢＣ）センサ、または赤色・緑色・青色・白色（ＲＧＢＷ）センサを備える、請求項８または９に記載のシステム。
【請求項１１】
前記光源が、赤色、青色、または緑色発光ダイオード（ＬＥＤ）を備える、請求項８〜１０のいずれか一項に記載のシステム。
【請求項１２】
前記光源が、約２．５ミリメートルだけ前記光学センサから分離されている、請求項８〜１１のいずれか一項に記載のシステム。
【請求項１３】
前記光源が、前記光学センサの配向に対して垂直に配向されている、請求項８〜１２のいずれか一項に記載のシステム。
【請求項１４】
前記光源が、前記光学センサの配向に対して９０度の角度で配向されている、請求項８〜１３のいずれか一項に記載のシステム。
【手続補正２】
【補正対象書類名】明細書
【補正対象項目名】０２９８
【補正方法】変更
【補正の内容】
【０２９８】
本開示の範囲は、本節における、または本明細書の他の箇所における、好ましい実施形態の特定の開示によって制限されることを意図するものではなく、本節において、または本明細書の他の箇所において、提示されているか、またはこの後に提示される特許請求の範囲によって定義され得る。本特許請求の範囲の文言は、本特許請求の範囲で用いられている文言に基づいて広い意味で解釈されるべきであり、本明細書で説明されている例または本出願の手続きの間に説明される例に限定されるものではなく、それらの例は非排他的なものとして解釈されるべきである。
［付記項１］
創傷被覆材であって、
創傷の特徴を測定するように構成された１つ以上のセンサを支持する、実質的に可撓性の創傷接触層を備え、
前記１つ以上のセンサが、光学センサアレイクラスタを備え、前記光学センサアレイクラスタが、
光学センサと、
１つ以上の光源と、を含む、創傷被覆材。
［付記項２］
前記１つ以上の光源が、１つの光源から構成される、付記項１に記載の創傷被覆材。
［付記項３］
前記１つ以上の光源が、複数の光源を備える、付記項１に記載の創傷被覆材。
［付記項４］
前記光学センサが、赤色、緑色、青色（ＲＧＢ）センサ、赤色、緑色、青色、および透明（ＲＧＢＣ）センサ、または赤色、緑色、青色、および白色（ＲＧＢＷ）センサを備える、付記項１〜３のいずれか一項に記載の創傷被覆材。
［付記項５］
前記１つ以上の光源が、発光ダイオード（ＬＥＤ）を備える、付記項１〜４のいずれか一項に記載の創傷被覆材。
［付記項６］
前記１つ以上の光源が、白色発光ダイオード（ＬＥＤ）を備える、付記項１〜５のいずれか一項に記載の創傷被覆材。
［付記項７］
前記１つ以上の光源が、赤色、青色、または緑色発光ダイオード（ＬＥＤ）を備える、付記項１〜６のいずれか一項に記載の創傷被覆材。
［付記項８］
前記１つ以上の光源が、約２．５ミリメートルだけ前記光学センサから分離されている、付記項１〜７のいずれか一項に記載の創傷被覆材。
［付記項９］
前記１つ以上の光源の中心が、前記光学センサの中心から約２．５ミリメートルに位置する、付記項１〜８のいずれか一項に記載の創傷被覆材。
［付記項１０］
前記１つ以上の光源が、前記光学センサの配向に対して垂直に配向されている、付記項１〜９のいずれか一項に記載の創傷被覆材。
［付記項１１］
前記１つ以上の光源が、前記光学センサの配向に対して９０度の角度で配向されている、付記項１〜１０のいずれか一項に記載の光学センサ。
［付記項１２］
前記１つ以上の光源が、前記光学センサの配向に対して平行に配向されている、付記項１〜１０のいずれか一項に記載の創傷被覆材。
［付記項１３］
創傷監視および／または療法システムであって、付記項１〜１０または付記項１２のいずれか一項に記載の創傷被覆材と、前記創傷被覆材に接続されるように構成され、前記創傷被覆材から光学測定データを受信するようにさらに構成されたコントローラと、を備える、創傷監視および／または療法システム。
［付記項１４］
創傷監視および療法システムであって、
創傷被覆材に接続されるように構成され、前記創傷被覆材から光学測定データを受信するようにさらに構成されたコントローラと、創傷または創傷周囲のうちの少なくとも１つ
の前記光学測定データを取得するように構成された１つ以上のセンサを支持する前記創傷被覆材と、を備え、前記１つ以上のセンサの各々が、
創傷の特徴を測定するように構成された１つ以上のセンサを支持する、実質的に可撓性の創傷接触層を備え、
前記１つ以上のセンサが、光学センサアレイクラスタを備え、前記光学センサアレイクラスタが、
光学センサと、
単一光源と、を含む、システム。
［付記項１５］
前記創傷被覆材が、前記コントローラまたは通信デバイスのうちの少なくとも１つに光学測定データを通信するように構成されたアンテナをさらに支持する、付記項１４に記載のシステム。
［付記項１６］
前記光学センサが、赤色、緑色、青色（ＲＧＢ）センサ、赤色、緑色、青色、および透明（ＲＧＢＣ）センサ、または赤色、緑色、青色、および白色（ＲＧＢＷ）センサを備える、付記項１４または１５に記載のシステム。
［付記項１７］
前記光源が、発光ダイオード（ＬＥＤ）を備える、付記項１４〜１６のいずれか一項に記載のシステム。
［付記項１８］
前記光源が、白色発光ダイオード（ＬＥＤ）を備える、付記項１４〜１６のいずれか一項に記載のシステム。
［付記項１９］
前記光源が、赤色、青色、または緑色発光ダイオード（ＬＥＤ）を備える、付記項１４〜１６のいずれか一項に記載のシステム。
［付記項２０］
前記光源が、約２．５ミリメートルだけ前記光学センサから分離されている、付記項１４〜１９のいずれか一項に記載のシステム。
［付記項２１］
前記光源の中心が、前記光学センサの中心から約２．５ミリメートルに位置する、付記項１４〜２１のいずれか一項に記載のシステム。
［付記項２２］
前記光源が、前記光学センサの配向に対して垂直に配向されている、付記項１４〜２１のいずれか一項に記載のシステム。
［付記項２３］
前記光源が、前記光学センサの配向に対して９０度の角度で配向されている、付記項１４〜２２のいずれか一項に記載のシステム。
［付記項２４］
創傷監視および／または療法装置であって、
創傷の上に位置決めされるように構成された創傷被覆材を備え、前記創傷被覆材が、創傷面側、および前記創傷面側の反対側の非創傷面側を含む、実質的に伸縮性の創傷接触層を備え、前記創傷接触層の前記創傷面側が、創傷と接触して位置決めされるように構成されており、
前記創傷接触層の前記非創傷面側が、複数の電子部品、および前記複数の電子部品のうちの少なくとも一部を接続する複数の電子接続を支持しており、
前記複数の電子部品が、前記創傷または創傷周囲のうちの少なくとも１つの１つ以上の測定値を取得するように構成された少なくとも１つのセンサを含む、装置。
［付記項２５］
前記少なくとも１つのセンサが、前記創傷接触層を通して前記１つ以上の測定値を取得するように構成されている、付記項２４に記載の装置。
［付記項２６］
前記創傷接触層が、前記複数の電子部品を支持する基材を備える、付記項２４または２５に記載の装置。
［付記項２７］
前記基材が、前記複数の電子部品のうちの少なくとも一部を支持する、付記項２４〜２６のいずれか一項に記載の装置。
［付記項２８］
前記基材が、前記複数の電子部品のうちの少なくとも一部および前記複数の電子接続のうちの少なくとも一部を覆うコンフォーマルコーティングを支持する、付記項２４〜２７のいずれか一項に記載の装置。
［付記項２９］
前記コンフォーマルコーティングは、流体が前記複数の電子部品および／または前記複数の電子接続と接触することを防止するように構成されている、付記項２４〜２８のいずれか一項に記載の装置。
［付記項３０］
前記少なくとも１つのセンサが、前記基材および前記コンフォーマルコーティングを通して前記１つ以上の測定値を取得するように構成されている、付記項２４〜２９のいずれか一項に記載の装置。
［付記項３１］
前記創傷接触層の前記非創傷面側が、前記少なくとも１つのセンサを支持する実質的に非伸縮性の材料の領域を備える、付記項２４〜３０のいずれか一項に記載の装置。
［付記項３２］
前記少なくとも１つのセンサが、前記創傷接触層および前記実質的に非伸縮性の材料の領域を通して前記１つ以上の測定値を取得するように構成されている、付記項３１に記載の装置。
［付記項３３］
前記１つ以上の測定値が、温度、伝導度、インピーダンス、色、ｐＨ、または圧力のうちの少なくとも１つを含む、付記項２４〜３２のいずれか一項に記載の装置。
［付記項３４］
較正値に基づいて、前記１つ以上の測定値のうちの少なくとも１つを調節するように構成されたコントローラをさらに備える、付記項２４〜３３のいずれか一項に記載の装置。
［付記項３５］
前記較正値が、前記創傷接触層によって生じた測定歪みを示す、付記項３４に記載の装置。
［付記項３６］
前記少なくとも１つのセンサが、前記創傷接触層を通して前記創傷または創傷周囲のうちの少なくとも１つの画像データと関連付けられた前記１つ以上の測定値を取得するように構成された光学センサを備える、付記項２４〜３５のいずれか一項に記載の装置。
［付記項３７］
前記少なくとも１つのセンサが、前記少なくとも１つのセンサのうちの少なくとも一部分を覆うコンフォーマルコーティングの領域を通して前記１つ以上の測定値を取得するようにさらに構成されている、付記項３６に記載の装置。
［付記項３８］
前記少なくとも１つのセンサが、前記少なくとも１つのセンサのうちの少なくとも一部分を支持するか、または覆う、実質的に非伸縮性の材料の領域を通して前記１つ以上の測定値を取得するようにさらに構成されている、付記項３６または３７に記載の装置。
［付記項３９］
前記創傷接触層、前記コンフォーマルコーティングの領域、または前記実質的に非伸縮性の材料の領域のうちの少なくとも１つが、実質的に透明である、付記項３６〜３８のいずれか一項に記載の装置。
［付記項４０］
付記項２４〜３９のいずれか一項に記載の装置を動作させる、および／または使用する方法。
［付記項４１］
図示および／または記載されている創傷被覆材。
［付記項４２］
図示および／または記載されている創傷監視および／または療法システム。
［付記項４３］
図示および／または記載されている光学センサ。
［付記項４４］
図示および／または記載されている創傷被覆材を動作させる、および／または使用する方法。
［付記項４５］
図示および／または記載されている創傷監視および／または療法装置を動作せる、および／または使用する方法。
［付記項４６］
付記項１３〜２３または付記項４２のいずれか一項に記載のシステムを使用する方法。
［付記項４７］
付記項１〜２３または付記項３６〜４６のいずれか一項に記載の光学センサを使用する方法。